(57)【要約】【課題】    本発明の目的は、使用勝手を向上させた便座シートを提供するものである。【解決手段】    便座シートＳは、シート本体１の裏面を便座２の上面２ａに着脱自在に取り付けることができる便座シートＳであって、シート本体１は、便座２の内縁部２ｄに沿う弧状の内縁弧状部１１と、この内縁弧状部１１に向かう方向と反対の方向に突出する複数の突出片１２Ａ、１２Ａとを備えた外縁部１２とを有し、複数の突出片１２Ａ、１２Ａの内、隣接する一方の突出片１２Ａに対向する隣接する他方の突出片１２Ａの部位は、シート本体１から遠ざかる方向に対して離間する形状に形成されているものである。【選択図】図１
2015073585.tif 000002
【特許請求の範囲】
【請求項１】
シート本体の裏面を便座の上面に着脱自在に取り付けることができる便座シートであって、
前記シート本体は、前記便座の内縁部に沿う弧状の内縁弧状部と、この内縁弧状部に向かう方向と反対の方向に突出する複数の突出片とを備えた外縁部とを有し、
前記複数の突出片の内、隣接する一方の突出片に対向する隣接する他方の突出片の部位は、前記シート本体から遠ざかる方向に対して離間する形状に形成されている
ことを特徴とする便座シート。
【請求項２】
シート本体の裏面を便座の上面に着脱自在に取り付けることができる便座シートであって、
前記シート本体は、前記便座の内縁部に沿う弧状の内縁弧状部と、この内縁弧状部に向かう方向と反対の方向に突出する複数の突出片とを備えた外縁部とを有し、
前記複数の突出片は、山部と谷部とが交互に繰り返されるものであり、
前記複数の突出片の内、隣接する一方の突出片に対向する隣接する他方の突出片の部位は、前記シート本体から遠ざかる方向に対して離間する形状に形成され、
前記谷部には、前記内縁弧状部に対して略直交する方向にスリットの切り込みが形成されている
ことを特徴とする便座シート。
【請求項３】
離間する形状は、弧状である
ことを特徴とする請求項１又は請求項２記載の便座シート。
【発明の詳細な説明】
【技術分野】
【０００１】
本発明は、便座シートに係り、特に、使用勝手を向上させた便座シートに関する。
【背景技術】
【０００２】
従来、例えば、前後に長い左右対称の略半月形状に形成された左右一対のシート本体を有する便座シートがある[例えば、特許文献１の図５（ａ）参照参照]。              
この便座シートにあっては、気温の低い時、お尻が便座の上面に直接接触しないため使用勝手が良い。
【先行技術文献】
【特許文献】
【０００３】
【特許文献１】特許第３６９６３２９号公報
【発明の概要】
【発明が解決しようとする課題】
【０００４】
ところが、上記便座シートにあっては、便座の外縁部から側面部に亘る部位がないため、気温の低い使用時、お尻が便座の外縁部から側面部に亘る部位に直接接触するため、前記部位が冷たく、使用勝手が良好でないという問題点が生じた。
【０００５】
本発明は、前記問題点を考慮した便座シートを提供することを目的とする。
【課題を解決するための手段】
【０００６】
請求項１記載の便座シートは、シート本体の裏面を便座の上面に着脱自在に取り付けることができる便座シートであって、前記シート本体は、前記便座の内縁部に沿う弧状の内縁弧状部と、この内縁弧状部に向かう方向と反対の方向に突出する複数の突出片とを備えた外縁部とを有し、前記複数の突出片の内、隣接する一方の突出片に対向する隣接する他方の突出片の部位は、前記シート本体から遠ざかる方向に対して離間する形状に形成されているものである。
【０００７】
また、請求項２記載の便座シートは、シート本体の裏面を便座の上面に着脱自在に取り付けることができる便座シートであって、前記シート本体は、前記便座の内縁部に沿う弧状の内縁弧状部と、この内縁弧状部に向かう方向と反対の方向に突出する複数の突出片とを備えた外縁部とを有し、前記複数の突出片は、山部と谷部とが交互に繰り返されるものであり、前記複数の突出片の内、隣接する一方の突出片に対向する隣接する他方の突出片の部位は、前記シート本体から遠ざかる方向に対して離間する形状に形成され、
前記谷部には、前記内縁弧状部に対して略直交する方向にスリットの切り込みが形成されているものである。
【０００８】
また、請求項３記載の便座シートは、請求項１又は請求項２記載の便座シートにおいて、離間する形状は、弧状である。
【発明の効果】
【０００９】
請求項１記載の便座シートによれば、シート本体の裏面を便座の上面に、突出片を便座の側面部に沿わせて便座シートを取り付ければ、便座の上面から側面部に亘って便座シートで覆われるから、お尻が便座の上面の外縁部から側面部に亘って直接接触するのを防いで、気温の低い使用時の使用勝手を向上させることができ、しかも、複数の突出片の内、隣接する一方の突出片に対向する隣接する他方の突出片の部位は、前記シート本体から遠ざかる方向に対して離間する形状に形成されているため、隣接する突出片の重なりが防止され、隣接する突出片が重なって便座シートが浮くことによって剥がれ易くなるのを防ぐことができる。
【００１０】
また、請求項２記載の便座シートによれば、シート本体の裏面を便座の上面に、突出片を便座の上面の側面部に沿わせて便座シートを取り付ければ、便座の上面から側面部に亘って便座シートで覆われるから、お尻が便座の外縁部から側面部に亘って直接接触するのを防いで、気温の低い使用時の使用勝手を向上させることができ、しかも、複数の突出片の内、隣接する一方の突出片に対向する隣接する他方の突出片の部位は、前記シート本体から遠ざかる方向に対して離間する形状に形成されているため、隣接する突出片の重なりが防止され、隣接する突出片が重なって便座シートが浮くことによって剥がれ易くなるのを防ぐことができ、更に、谷部にスリットの切り込みを設け、前記スリットの切り込みの起点の位置を便座の上面から側面部に至る曲面の起点に合わせたものは、谷部にスリットの切り込みを設けない請求項１記載の便座シートに比べ、便座の上面の側面部をより多く覆うことができ、お尻が便座の上面の外縁部から側面部に直接接触する部位を少なくすることができる。
【図面の簡単な説明】
【００１１】
【図１】図１は、本発明の一実施例の便座シートを便座に取り付けた状態の概略的斜視図である。
【図２】図２は、図１の便座に取り付ける前の便座シートの概略的平面図である。
【図３】図３は、図１の３−３線による概略的断面図である。
【図４】図４は、図１の４−４線による概略的断面図である。
【図５】図５（ａ）は図２の５−５線による概略的断面図であり、図５（ｂ）は図５（ａ）の剥離シートを剥がす途中の概略的断面図である。
【図６】図６は、図１の便座シートと異なる他の実施例の便座シートを便座に取り付けた状態の概略的斜視図である。
【図７】図７は、図６の便座シートを便座に取り付ける前の状態の概略的平面図である。
【図８】図８は、図６の概略的平面図である。
【図９】図９は、図８の９−９線による概略的断面図である。
【図１０】図１０は、図８の１０−１０線による概略的断面図である。
【発明を実施するための形態】
【００１２】
本発明の一実施例の便座シートを図面（図１乃至図５）を参照して説明する。
図１に示すＳは便座シートで、便座シートＳは、織布又は不織布等で形成されたシート本体１の裏面を便座２の上面２ａに着脱自在に取り付けることができるもので（図２参照）、便座シートＳは、例えば、前後に長い左右対称の略半月形状に形成された左右一対のシート本体１、１を有する。
なお、シート本体１の裏面には 、例えば、高分子樹脂を発泡させてなるフォーム状の周知の吸着層が形成され、前記周知の吸着層は、吸着層の表面に開口する気泡による真空吸着で便座２の上面２ａに着脱自在に取り付けることができるようになっている。また、図５に示す３は、シート本体１の裏面に取り付けられた剥離シートで、便座シートＳを便座２の上面２ａに取り付ける際、シート本体１から剥離シート３を剥がして使用する[図５（ａ）（ｂ）参照]。
【００１３】
シート本体１は、便座２の内縁部２ｂに沿う弧状の内縁弧状部１１と、この内縁弧状部１１に向かう方向と反対の方向（方向は、図２記載の矢印Ｘ）に突出する複数の突出片１２Ａとを備えた外縁部１２とを有している。
複数の突出片１２Ａ、１２Ａの内、隣接する一方の突出片１２Ａ（図２の１２Ａ１）に対向する隣接する他方の突出片１２Ａの部位（図２の１２Ａ２）は、シート本体１から遠ざかる方向（内縁弧状部１１に向かう方向と反対の方向、図２のＸ）に対して離間する形状に形成されている。なお、本実施例の離間する形状は弧状となっている（図２参照）が、直線でも良い。
また、図２に示すＫは、隣接する突出片１２Ａ、１２Ａとの間に設けられたカット部で、カット部Ｋの複数の起点Ｋ１は、図２に示すように、曲線ＭＮＯに沿うように設けられている。
【００１４】
従って、便座シートＳによれば、シート本体１の裏面を便座２の上面２ａに、突出片１２Ａを便座２の側面部２ｃ（図３及び図４参照）に沿わせて便座シートＳを取り付ければ、便座２の上面２ａから側面部２ｃに亘って便座シートＳで覆われるから、お尻が便座２の上面２ａの外縁部２ｄ（図３及び図４参照）から側面部２ｃに亘って直接接触するのを防いで、気温の低い使用時の使用勝手を向上させることができ、しかも、複数の突出片１２Ａ、１２Ａの内、隣接する一方の突出片１２Ａ（図２の１２Ａ１）に対向する隣接する他方の突出片１２Ａの部位（図２の１２Ａ２）は、シート本体１から遠ざかる方向（図２のＸ）に対して離間する形状、例えば、弧状に形成されているため、隣接する突出片１２Ａ、１２Ａの重なりが防止され、隣接する突出片１２Ａ、１２Ａが重なって便座シートＳが浮くことによって剥がれ易くなるのを防ぐことができる。
【００１５】
上述した実施例（図１乃至図５）の便座シートＳにおいては、図１に示すように、カット部Ｋの起点Ｋ１の近傍に便座２の上面２ａの側面部２ｃを覆えず、露出する部位Ｒが生じる場合がある。次に示す実施例（図６乃至図１０）は、これを改善した便座シートＳである。
図６及び図７に示すＳは便座シートで、便座シートＳは、織布又は不織布等で形成されたシート本体１の裏面を便座２の上面２ａに着脱自在に取り付けることができるもので（図７参照）、便座シートＳは、例えば、前後に長い左右対称の略半月形状に形成された左右一対のシート本体１、１を有する。
なお、シート本体１の裏面には 、例えば、高分子樹脂を発泡させてなるフォーム状の周知の吸着層が形成され、前記周知の吸着層は、吸着層の表面に開口する気泡による真空吸着で便座２の上面２ａに着脱自在に取り付けることができるようになっている。また、シート本体１の裏面には、上述の実施例の図５記載と同様に、剥離シート３が取り付けられ、便座シートＳを便座２の上面２ａに取り付ける際、シート本体１から剥離シート３を剥がして使用する[図５（ａ）（ｂ）参照]。
【００１６】
シート本体１は、便座２の内縁部２ｂに沿う弧状の内縁弧状部１１と、この内縁弧状部１１に向かう方向と反対の方向（方向は、図７記載の矢印Ｙ）に突出する複数の突出片１２Ａとを備えた外縁部１２とを有している。
複数の突出片１２Ａ、１２Ａは、山部Ｔと谷部Ｖとが交互に繰り返されるものであり、複数の突出片１２Ａ、１２Ａの内、隣接する一方の突出片１２Ａ（図７の１２Ａ１）に対向する隣接する他方の突出片（図７の１２Ａ２）の部位は、シート本体１から遠ざかる方向（内縁弧状部１１に向かう方向と反対の方向、図７記載の矢印Ｙ）に対して離間する形状に形成されている。
なお、本実施例の離間する形状は弧状となっている（図７参照）が、直線でも良い。
また、谷部Ｖには、内縁弧状部１１に対して略直交する方向にスリットの切り込みＳＫが形成されている。
なお、図８乃至図１０に示すＺは、スリットの切り込みＳＫの切り込み基部（スリットの切り込みＳＫの起点）である。
【００１７】
従って、便座シートＳによれば、シート本体１の裏面を便座２の上面２ａに、突出片１２Ａを図９、図１０に示すように、便座１の側面部２ｃに沿わせて便座シートＳを取り付ければ、便座２の上面２ａから便座２の側面部２ｃに亘って便座シートＳで覆われるから、お尻が便座２の上面２ａの上面２ａの外縁部２ｄ（図９及び図１０参照）から便座２の側面部２ｃに亘って直接接触するのを防いで、気温の低い使用時の使用勝手を向上させることができ、しかも、複数の突出片１２Ａ、１２Ａの内、隣接する一方の突出片１２Ａ（図７の１２Ａ１）に対向する隣接する他方の突出片１２Ａの部位（図７の１２Ａ２）は、シート本体１から遠ざかる方向（図７のＹ）に対して離間する形状、例えば、弧状に形成されているため、隣接する突出片１２Ａ、１２Ａの重なりが防止され、隣接する突出片１２Ａ、１２Ａが重なって便座シートＳが浮くことによって剥がれ易くなるのを防ぐことができ、更に、谷部Ｖにスリットの切り込みＳＫを設け、突出片１２Ａのスリットの切り込みＳＫの起点Ｚの位置を便座１の上面２ａから側面部２ｃに至る曲面の起点に合わせたものは、突出片１２Ａにスリットの切り込みを設けない上述の図１乃至図５記載の便座シートＳに比べ、便座２の上面２ａの側面部２ｃをより多く覆うことができ、お尻が便座２の上面２ａの外縁部２ｄから側面部２ｃに直接接触する部位を少なくすることができる。
【符号の説明】
【００１８】
Ｓ      便座シート
１      シート本体
２      便座
２ａ    上面
２ｄ    内縁部
１１    内縁弧状部
１２    外縁部
１２Ａ  突出片
【図１】
2015073585.tif 000003
【図２】
2015073585.tif 000004
【図３】
2015073585.tif 000005
【図４】
2015073585.tif 000006
【図５】
2015073585.tif 000007
【図６】
2015073585.tif 000008
【図７】
2015073585.tif 000009
【図８】
2015073585.tif 000010
【図９】
2015073585.tif 000011
【図１０】
2015073585.tif 000012